(57)【要約】【課題】レジスター機において釣銭準備金として必要とされる枚数の硬貨を金種別に仕分けして払い出すことができ、必要な前記釣銭準備金を手間をかけることなく前記レジスター機にセットすることができるようにする。【解決手段】硬貨の計数及び管理を行う硬貨管理装置であり、払い出された硬貨を金種別に収納する複数の収納部を備える着脱可能な出金カセットを有する。【選択図】          図１
2004192477.tif 000002
【特許請求の範囲】
【請求項１】
（ａ）硬貨の計数及び管理を行う硬貨管理装置であり、
（ｂ）払い出された硬貨を金種別に収納する複数の収納部を備える着脱可能な出金カセットを有することを特徴とする硬貨管理装置。
【請求項２】
前記複数の収納部は、直線状に配設される請求項１に記載の硬貨管理装置。
【請求項３】
前記複数の収納部は、金種の金額順に並ぶように前記硬貨を収納し、該硬貨を並べ替えることなくレジスター機にセットすることができる請求項１又は２に記載の硬貨管理装置。
【請求項４】
硬貨の計数及び管理を行う硬貨管理装置であり、
（ａ）入金された硬貨を搬送しながら金種別に区分する区分搬送路と、
（ｂ）該区分搬送路で区分された硬貨を金種別に保管する複数の硬貨集積部と、
（ｃ）該複数の硬貨集積部に保管された硬貨を繰り出す複数の硬貨繰出部と、
（ｄ）該硬貨繰出部から繰り出された硬貨を金種別に仕分けして収納する複数の金種別収納部を備える出金カセットとを有し、
（ｅ）前記複数の硬貨集積部は、前記区分搬送路の左右に、それぞれ、配設される第１のグループと第２のグループとから成り、
（ｆ）前記出金カセットは、前記第１のグループと第２のグループとの間において前記区分搬送路と並行に配設され、
（ｇ）前記硬貨繰出部から繰り出された硬貨は、前記出金カセットに金種の金額順に並ぶように収納されることを特徴とする硬貨管理装置。
【請求項５】
前記複数の金種別収納部は、直線状に配設される請求項４に記載の硬貨管理装置。
【請求項６】
前記第１のグループは、十円硬貨及び百円硬貨を保管する硬貨集積部から成り、第２の各グループは、十円硬貨及び百円硬貨以外の金種の硬貨を保管する硬貨集積部から成る請求項４に記載の硬貨管理装置。
【請求項７】
前記区分搬送路は、前記硬貨を金種別に区分する手段として、前記硬貨の金種による径の違いを利用して選別する手段を備える請求項４に記載の硬貨管理装置。
【請求項８】
前記区分搬送路は、前記硬貨を金種別に区分する手段として、前記硬貨の金種による径の違いを利用して選別する手段と、前記硬貨の移動に同期して該硬貨を強制的に区分する手段とを併せ備える請求項４に記載の硬貨管理装置。
【請求項９】
前記硬貨繰出部から繰り出された硬貨を金種混合にて収納する収納箱と、前記繰り出された硬貨を前記収納箱又は出金カセットに振り分けるガイド部とを有する請求項４に記載の硬貨管理装置。
【発明の詳細な説明】
【０００１】
【発明の属する技術分野】
本発明は、硬貨管理装置に関するものである。
【０００２】
【従来の技術】
従来、商品やサービスを販売する店舗においては、現金による販売で必要となる釣銭準備金を管理するために、硬貨入出金機が配設されている。一般に、店舗における代金精算所にはレジスター機が配設され、前記店舗のレジ係等の代金精算業務の担当者は、顧客から代金として受領した現金を前記レジスター機に収納するとともに、釣銭として必要な現金を前記レジスター機から取り出して、前記顧客に渡すようになっている。そして、釣銭の大半は硬貨であり、釣銭切れが発生して顧客からの代金受領業務が滞ることがないようにするために、釣銭準備金として、事前に各金種の硬貨、すなわち、一円硬貨、五円硬貨、十円硬貨、五十円硬貨、百円硬貨及び五百円硬貨を計数した後、前記レジスター機に仕分けして収納しておくようになっている（例えば、特許文献１参照。）。
【０００３】
この場合、１枚ずつばらばらになっている硬貨、すなわち、バラ硬貨を計数して管理する作業は手間のかかる作業であるため、前記硬貨入出金機を使用して、釣銭準備金を管理する、すなわち、所定額の釣銭準備金を払い出したり、残った釣銭準備金を入金したり、計数したりするようになっている。そして、前記硬貨入出金機においては、複数の金種のバラ硬貨を一括して入金することができ、また、必要額の釣銭準備金の払い出しにおいても複数の金種のバラ硬貨を混合して払い出すようになっている。
【０００４】
また、硬貨を金種別に仕分けして払い出す装置としては、同一金種の硬貨を所定枚数ずつ、例えば、５０枚ずつ包装した棒金と称される形態で払い出す装置が提供されている。そして、金融機関等に配設されている業務用に使用される両替機において、紙幣を硬貨に両替する場合は、一般的に棒金の形態で払い出しが行われている。
【０００５】
【特許文献１】
特開平８−４４９２４号公報
【０００６】
【発明が解決しようとする課題】
しかしながら、前記従来の硬貨入出金機においては、複数の金種のバラ硬貨を混合して払い出すようになっているので、釣銭準備金をレジスター機にセットする際に手間がかかってしまう。すなわち、レジスター機においては各金種の硬貨を仕分けして収納するようになっているが、前記硬貨入出金機においては複数の金種のバラ硬貨を混合して払い出すようになっているので、払い出された釣銭準備金を人手によって各金種の硬貨に仕分けする必要がある。
【０００７】
また、硬貨を棒金の形態で払い出す装置を使用すれば、各金種の硬貨に仕分けする必要はなくなるが、５０枚等の所定枚数ずつ払い出すようになっているので、レジスター機に収納する釣銭の準備には適していない。すなわち、釣銭として必要な硬貨の枚数は金種毎に相違する。例えば、一般的には、一円硬貨、十円硬貨、百円硬貨は釣銭として多く必要とされ、五十円硬貨、五百円硬貨はあまり必要とされない。また、金種毎に必要な枚数も店舗毎に相違する。このような相違を考慮しないと、業務の途中においてある金種の硬貨が不足したり、業務終了時においてある金種の硬貨が大量に残ったりしてしまう。そこで、釣銭準備金として金種毎に相違する枚数の硬貨を準備する必要があるが、前記硬貨を棒金の形態で払い出す装置においては、一律に所定枚数ずつ払い出されるので、金種毎に相違する枚数の硬貨を準備することができない。
【０００８】
本発明は、前記従来の問題点を解決して、レジスター機において釣銭準備金として必要とされる枚数の硬貨を金種別に仕分けして払い出すことができ、必要な前記釣銭準備金を手間をかけることなく前記レジスター機にセットすることができる硬貨管理装置を提供することを目的とする。
【０００９】
【課題を解決するための手段】
そのために、本発明の硬貨管理装置においては、硬貨の計数及び管理を行う硬貨管理装置であり、払い出された硬貨を金種別に収納する複数の収納部を備える着脱可能な出金カセットを有する。
【００１０】
本発明の他の硬貨管理装置においては、さらに、前記複数の収納部は、直線状に配設される。
【００１１】
本発明の更に他の硬貨管理装置においては、さらに、前記複数の収納部は、金種の金額順に並ぶように前記硬貨を収納し、該硬貨を並べ替えることなくレジスター機にセットすることができる。
【００１２】
本発明の更に他の硬貨管理装置においては、硬貨の計数及び管理を行う硬貨管理装置であり、入金された硬貨を搬送しながら金種別に区分する区分搬送路と、該区分搬送路で区分された硬貨を金種別に保管する複数の硬貨集積部と、該複数の硬貨集積部に保管された硬貨を繰り出す複数の硬貨繰出部と、該硬貨繰出部から繰り出された硬貨を金種別に仕分けして収納する複数の金種別収納部を備える出金カセットとを有し、前記複数の硬貨集積部は、前記区分搬送路の左右に、それぞれ、配設される第１のグループと第２のグループとから成り、前記出金カセットは、前記第１のグループと第２のグループとの間において前記区分搬送路と並行に配設され、前記硬貨繰出部から繰り出された硬貨は、前記出金カセットに金種の金額順に並ぶように収納される。
【００１３】
本発明の更に他の硬貨管理装置においては、さらに、前記複数の金種別収納部は、直線状に配設される。
【００１４】
本発明の更に他の硬貨管理装置においては、さらに、前記第１のグループは、十円硬貨及び百円硬貨を保管する硬貨集積部から成り、第２の各グループは、十円硬貨及び百円硬貨以外の金種の硬貨を保管する硬貨集積部から成る。
【００１５】
本発明の更に他の硬貨管理装置においては、さらに、前記区分搬送路は、前記硬貨を金種別に区分する手段として、前記硬貨の金種による径の違いを利用して選別する手段を備える。
【００１６】
本発明の更に他の硬貨管理装置においては、さらに、前記区分搬送路は、前記硬貨を金種別に区分する手段として、前記硬貨の金種による径の違いを利用して選別する手段と、前記硬貨の移動に同期して前記硬貨を強制的に区分する手段とを併せ備える。
【００１７】
本発明の更に他の硬貨管理装置においては、さらに、前記硬貨繰出部から繰り出された硬貨を金種混合にて収納する収納箱と、前記繰り出された硬貨を前記収納箱又は出金カセットに振り分けるガイド部とを有する。
【００１８】
【発明の実施の形態】
以下、本発明の実施の形態について図面を参照しながら詳細に説明する。
【００１９】
図１は本発明の実施の形態における店舗に配設された硬貨管理装置を示す図である。
【００２０】
図に示されるように、店舗１１には、売上を集計し、売上金等を保管するためのレジスター機１２ａ〜１２ｄが配設される。なお、該レジスター機１２ａ〜１２ｄの数は、単数であっても複数であってもよく、任意に設定することができる。ここで、前記店舗１１は、例えば、コンビニエンスストア、スーパーマーケット、百貨店等の商店や、レストラン、喫茶店等の飲食店であるが、商品やサービスを販売する店舗であれば、いかなる種類の店舗であってもよい。
【００２１】
そして、前記レジスター機１２ａ〜１２ｄは、店舗１１を訪れた顧客が店舗１１で販売される商品やサービスを購入して代金の精算を行うと、前記店舗１１におけるレジ係等の代金精算業務の担当者が操作して、前記代金を商品やサービスの売上額として入力して合計売上額を集計するとともに、前記代金として顧客から受領した現金を収納するための装置である。なお、前記担当者は、釣銭として必要な現金を前記レジスター機１２ａ〜１２ｄから取り出して前記顧客に渡すようになっている。この場合、現金は前記レジスター機１２ａ〜１２ｄのドロア（引出）内に金種別に仕分けされて収納されている。
【００２２】
また、前記レジスター機１２ａ〜１２ｄは、いわゆる、ＰＯＳ（Ｐｏｉｎｔ  ｏｆ  Ｓａｌｅｓ）システムにおけるＰＯＳ端末として機能するものであってもよい。この場合、売上額だけでなく、顧客が購入した商品やサービス毎に商品項目等の売上情報も前記レジスター機１２ａ〜１２ｄに入力される。この場合、店舗１１には、該店舗１１に配設されている複数のレジスター機１２ａ〜１２ｄに入力された売上情報や売上額を集計するためのストアコンピュータ１３が配設されている。そして、該ストアコンピュータ１３は、レジスター機１２ａ〜１２ｄとＬＡＮ（Ｌｏｃａｌ  Ａｒｅａ  Ｎｅｔｗｏｒｋ）１４を介して接続され、前記レジスター機１２ａ〜１２ｄに売上情報や売上額が入力される度に該売上情報や売上額を収集し、店舗１１全体としての売上情報や売上額を集計する。
【００２３】
さらに、ストアコンピュータ１３は、通信回線１５を介して本部コンピュータ１６に接続されている。該本部コンピュータ１６は複数の店舗１１のそれぞれに配設されているストアコンピュータ１３と通信回線１５を介して接続され、各店舗１１の売上情報や売上額などを収集し、すべての店舗１１の売上情報や売上額などを集計する。これにより、前記本部コンピュータ１６は、各店舗１１の商品の在庫状況を把握し、新たに仕入れる商品の項目、数量等を算出することができる。そして、前記本部コンピュータ１６によって集計されたり算出された情報は、店舗指導等において利用することができる。
【００２４】
また、店舗１１には硬貨管理装置としての釣銭管理装置１７が配設されている。該釣銭管理装置１７は、前記店舗１１のレジスター機１２ａ〜１２ｄにセットする釣銭準備金を保管し管理するようになっている。すなわち、前記店舗１１における営業に必要な数日分の釣銭準備金が釣銭管理装置１７に保管されていて、前記店舗１１の担当者は、必要に応じて釣銭管理装置１７から必要額の釣銭準備金を出金し、レジスター機１２ａ〜１２ｄにセットすることができる。
【００２５】
また、前記担当者は、レジスター機１２ａ〜１２ｄに残った釣銭準備金を回収して釣銭管理装置１７に入金する。そして、回収した釣銭準備金が入金されると、前記釣銭管理装置１７は、回収した釣銭準備金の計数を行い、始めに出金した釣銭準備金と回収した釣銭準備金との差額に基づいて精算処理を行う。なお、釣銭準備金の管理はレジスター機１２ａ〜１２ｄ単位で行うことができ、各レジスター機１２ａ〜１２ｄを管理する担当者が、それぞれ、担当するレジスター機１２ａ〜１２ｄ毎に釣銭準備金の精算及び管理を行うことができる。
【００２６】
また、釣銭管理装置１７は通信回線１８を介して監視センタ１９に接続されている。該監視センタ１９においては、通信回線１８を介して釣銭管理装置１７の稼働情報を収集し、釣銭準備金が不足した場合の補充や、釣銭管理装置１７が強盗等に襲われた場合の監視などを行う。
【００２７】
なお、釣銭準備金としては、一円硬貨、五円硬貨、十円硬貨、五十円硬貨、百円硬貨及び五百円硬貨の硬貨、並びに、千円紙幣、二千円紙幣及び五千円紙幣の紙幣が必要である。そして、硬貨は金種が六種類あり、準備する枚数も金種によっては、一般的なレジスター機一台につき、５０〜１００枚となり、管理に手間がかかってしまう。一方、紙幣の場合、一般的なレジスター機一台につき、千円紙幣は１０〜２０枚程度、二千円紙幣及び五千円紙幣は数枚を準備すればよいので、管理に手間がかかることがない。そのため、釣銭管理装置１７のコストを安価にするためには、釣銭準備金としての紙幣は人手で管理し、硬貨だけを釣銭管理装置１７で管理することが望ましい。
【００２８】
そこで、本実施の形態においては、釣銭管理装置１７が硬貨だけを管理する場合について説明する。
【００２９】
図に示されるように、釣銭管理装置１７は、レジスター機１２ａ〜１２ｄから回収した硬貨や新たに釣銭管理装置１７に補充する硬貨を入金するための入金口２１、該入金口２１から入金された硬貨のうち、正当な硬貨として判別することができない場合などに、その硬貨を返却するためのリジェクト口２２、及び、釣銭管理装置１７に保管してある釣銭準備金から必要な額の硬貨をレジスター機１２ａ〜１２ｄにセットするために払い出す出金口２３を有する。
【００３０】
また、これらの処理を実行し、釣銭管理装置１７を操作するために釣銭管理装置１７の前面にはＣＲＴ、液晶ディスプレイ、ＬＥＤ（Ｌｉｇｈｔ  Ｅｍｉｔｔｉｎｇ  Ｄｉｏｄｅ）ディスプレイ等から成る表示器２４、ファンクションキーやテンキーなどによって構成される操作キー２５、担当者が所持しているＩＤカードを受け入れて読み取るためのカード受入口２６、及び、操作した結果等を印刷して発行するレシート口２７が配設される。なお、前記表示器２４及び操作キー２５はタッチパネルとして一体的に構成されていてもよい。
【００３１】
図２は本発明の実施の形態における釣銭管理装置のブロック図である。
【００３２】
図２に示されるように、釣銭管理装置１７は、機能の観点から、制御部３１、データ記憶部３２、表示部３３、操作部３４、カード読取部３５、伝送部３６、監視部３７及び硬貨部３８を有する。ここで、前記制御部３１は、ＣＰＵ、ＭＰＵ等の演算手段及び各種Ｉ／Ｏ部（インターフェイス）を備えるマイクロコンピュータ等から成り、釣銭管理装置１７の動作を統括的に制御する。また、前記データ記憶部３２は、磁気ディスク、半導体メモリ等の記憶手段を備え、各種データを記憶する。さらに、前記表示部３３は表示器２４の動作を制御し、該表示器２４に釣銭管理装置１７の操作の案内、計数結果等を表示させる。そして、前記操作部３４は操作キー２５からの入力を受信し、カード読取部３５はカード受入口２６に挿入されたＩＤカードに格納されているデータを読み取る。また、前記伝送部３６は、釣銭管理装置１７の稼働状況や保管されている硬貨の残高等を通信回線１８を介して監視センタ１９に送信する。さらに、前記監視部３７は、釣銭管理装置１７が強盗等に襲われてこじ開けられたこと、異常な振動が発生したこと等を検出する。そして、前記硬貨部３８は、入金口２１から入金された硬貨を計数したり、保管してある硬貨を計数して出金口２３に払い出す。
【００３３】
次に、前記構成の釣銭管理装置１７の硬貨部３８について説明する。
【００３４】
図３は本発明の実施の形態における釣銭管理装置の硬貨部の構成を示す第１の斜視図である。
【００３５】
図３に示されるように、硬貨部３８は入金ホッパ４１を有し、釣銭管理装置１７の入金口２１に入金された硬貨は、前記入金ホッパ４１に投入される。そして、該入金ホッパ４１の下部には、一括して入金された硬貨を１枚ずつ分離して繰り出す入金繰出部４２が配設される。
【００３６】
ここで、該入金繰出部４２から１枚ずつ繰り出された硬貨は、入金搬送路４３に載置される。該入金搬送路４３の入口部には、第１のセンサ４４が配設されていて、入金繰出部４２から硬貨が入金搬送路４３に載置されたことを検出する。そして、第１のセンサ４４の検出結果に従って、入金繰出部４２が硬貨を繰り出す繰出動作の制御が行われる。すなわち、第１のセンサ４４に硬貨が入金搬送路４３上に載置されたことが検出されると、入金繰出部４２の繰出動作は一時停止させられ、次の硬貨を載置する間隔を一定にする。また、入金繰出部４２が繰出動作を行っても、第１のセンサ４４によって硬貨が入金搬送路４３上に載置されたことが検出されない場合は、硬貨詰まりと判断し、入金繰出部４２が硬貨詰まり解除の動作を行うように制御される。
【００３７】
そして、第１のセンサ４４によって硬貨が入金搬送路４３上に載置されたことが検出されると、前記硬貨が該当する後述される硬貨集積部に搬送されるまで追跡動作が行われる。
【００３８】
次に、入金搬送路４３上に載置された硬貨は、前記入金搬送路４３上を搬送され、該入金搬送路４３における第１のセンサ４４の下流側に配設された検銭部４５を通過する。該検銭部４５は、通過する硬貨の外形寸法、孔（あな）の有無、磁気的な材質検知などによって前記硬貨の金種を判別する。この時、硬貨に傷や錆（さび）が付いていて正当な硬貨として金種を判別することができなかったり、入金繰出部４２において一定間隔に繰り出されず、複数の硬貨が連なって繰り出されたために正しく判別することができなかったり、硬貨以外のものであり金種を判別することができない場合は、検銭部４５はリジェクトすべきものと判別する。
【００３９】
続いて、前記検銭部４５によって金種を判別された硬貨は、入金搬送路４３から区分搬送路４６に搬送される。該区分搬送路４６においては、検銭部４５の判別結果に従い、硬貨を所定の硬貨集積部、すなわち、金種別の硬貨集積部又はリジェクト口２２に搬送しながら区分する。
【００４０】
そして、前記区分搬送路４６の入口には、第２のセンサ４７が配設される。該第２のセンサ４７は検銭部４５を通過した硬貨等が確実に搬送されたことを検出する。前記検銭部４５から第２のセンサ４７までは、正当な硬貨だけでなく、リジェクトすべきものと判別された異常な硬貨や硬貨以外のものも搬送される。そこで、前記硬貨や硬貨以外のものが確実に搬送されたことを検出するために第２のセンサ４７が配設されている。
【００４１】
また、前記区分搬送路４６における第２のセンサ４７の下流側には、第１のブレードとしてのリジェクトブレード４８が配設される。検銭部４５がリジェクトすべきと判別した硬貨等が到達した時は、前記リジェクトブレード４８が作動して区分搬送路４６を開放する。これにより、区分搬送路４６上を搬送されるリジェクトすべきと判別された硬貨等は、リジェクトシュート４９に誘導され、釣銭管理装置１７のリジェクト口２２から放出される。また、前記検銭部４５が正当な硬貨として金種を判別した場合は、リジェクトブレード４８はリジェクトシュート４９を閉鎖する。これにより、前記区分搬送路４６上を搬送される硬貨は、リジェクトブレード４８上を通過して、さらに、区分搬送路４６の後方に搬送される。
【００４２】
そして、前記リジェクトブレード４８の下流側には、第３のセンサ５０が配設される。なお、前記区分搬送路４６上を搬送されてくる硬貨のうち、リジェクトブレード４８を通過して第３のセンサ５０に到達する硬貨はすべて検銭部４５で正当な硬貨と判別されたものである。そして、前記検銭部４５で判別結果が出力されてから所定時間後に、第３のセンサ５０によって通過が検出されることによって、検銭部４５が正当な硬貨と判別した硬貨が確実に区分搬送路４６上を搬送されていることを確認することができる。
【００４３】
続いて、正当な硬貨は第３のセンサ５０を通過した後、前記検銭部４５によって判別された金種に従って区分搬送路４６上で区分され、該当する硬貨集積部に集積される。ここでは、日本で通常に流通している六種類の硬貨、すなわち、一円硬貨、五円硬貨、十円硬貨、五十円硬貨、百円硬貨及び五百円硬貨を区分する場合について説明する。
【００４４】
前記第３のセンサ５０の下流側には、最も径が小さい一円硬貨を落下させるための穴５１が形成されている。該穴５１は一円硬貨の径より大きく、次に小さい五十円硬貨の径より小さく設定されていて、六種類の硬貨のうち一円硬貨だけが穴５１に落下するようになっている。
【００４５】
そして、一円硬貨以外の五種類の硬貨は穴５１を落下することなく通過し、区分搬送路４６上を、さらに下流に搬送される。
【００４６】
前記穴５１の下流側には、第２のブレード５２が配設される。該第２のブレード５２においては十円硬貨だけが選別されて落下する。すなわち、検銭部４５で十円硬貨と判別された硬貨が第３のセンサ５０を通過すると、所定時間後に第２のブレード５２が開放し、区分搬送路４６から該当する十円硬貨を落下させる。
【００４７】
さらに、第２のブレード５２の下流側には穴５３が形成されていて、該穴５３は五十円硬貨の径より大きく、次に大きい五円硬貨の径より小さく設定されている。したがって、五十円硬貨だけが選別されて前記穴５３から落下する。
【００４８】
さらに、該穴５３の下流側には五円硬貨を落下させる穴５４が形成されている。該穴５４は五円硬貨の径より大きく、次に大きい百円硬貨の径より小さく設定されていて、五円硬貨だけが選別されて前記穴５４から落下する。
【００４９】
そして、該穴５４の下流側には百円硬貨を選別して落下させる穴５５が形成され、さらに、該穴５５の下流側には五百円硬貨を選別して落下させる穴５６が形成されている。
【００５０】
このようにして、六種類の硬貨は前述された順番で区分搬送路４６から落下する。これにより、硬貨を金種に基づいて、所定の順番で区分搬送路４６から落下させることによって、硬貨を金種別に仕分けして、所定の位置に排出することができる。そして、排出された硬貨をレジスター機１２ａ〜１２ｄのドロア内に並べる金種の順番に合わせた出金カセット７７の位置に投入することができる。そのため、本実施の形態における釣銭管理装置１７の硬貨部３８は、金種別の硬貨集積部を特定の順に配置し、それに合わせて金種を選別して落下させるようになっている。この場合、硬貨の特性を活かし、径が小さい順で選別することによって区分搬送路４６に穴５１、５３〜５６を形成し、必要に応じて第２のブレード５２による選別を組み合わせる。そして、前記区分搬送路４６の下には、選別された金種別に硬貨集積部まで硬貨を案内するシュート、及び、該当する金種別の硬貨集積部が配置される。
【００５１】
これにより、高価な第２のブレード５２の使用数を減らすことができる。本実施の形態においては、区分搬送路４６に十円硬貨を選別するための第２のブレード５２を１ヶ所に配設し、他の五種類の金種を選別するために、硬貨の径の大きさの順番、すなわち、一円硬貨、五十円硬貨、五円硬貨、百円硬貨、五百円硬貨の順番に対応する大きさの穴５１、５３〜５６を区分搬送路４６に形成する。そして、該区分搬送路４６から落下した各金種の硬貨は、簡単な構成のシュートを通ってそれぞれの硬貨集積部に払い出すことができる。
【００５２】
続いて、金種別の硬貨集積部の配置について説明する。
【００５３】
本実施の形態において、硬貨集積部は金種別に分かれた六個の硬貨集積部から成り、該六個の硬貨集積部は区分搬送路４６の下側に搬送方向に向かって右側と左側とに分かれて配設される。この場合、搬送方向に向かって右側には上流から硬貨集積部としての一円硬貨集積部５７、五円硬貨集積部５８、五十円硬貨集積部５９及び五百円硬貨集積部６０の順に配設される。また、搬送方向に向かって左側には、上流から、硬貨集積部として、十円硬貨集積部６１及び百円硬貨集積部６２の順に配設される。
【００５４】
ところで、一般的に、釣銭としては十円硬貨及び百円硬貨が大量に使用される。一円硬貨も使用量は多いが、十円硬貨、百円硬貨と比較すると量は少なく、また、外形も小さい。
【００５５】
そこで、区分搬送路４６に向かって左側に十円硬貨、百円硬貨の二種類の硬貨集積部だけを配設することによって、他の金種の硬貨集積部の２倍以上の集積容量を確保することができる。そして、一円硬貨集積部５７、五円硬貨集積部５８、五十円硬貨集積部５９、五百円硬貨集積部６０、十円硬貨集積部６１及び百円硬貨集積部６２のそれぞれと区分搬送路４６とは、シュートによって連結されている。
【００５６】
すなわち、区分搬送路４６の一円硬貨を落下させるための穴５１と一円硬貨集積部５７とは一円シュート６３によって連結され、穴５１を通過した一円硬貨は前記一円シュート６３を通って一円硬貨集積部５７に集積される。同様に、五円硬貨集積部５８は五円シュート６４によって穴５４と連結され、十円硬貨集積部６１は十円シュート６５によって第２のブレード５２の開放部と連結され、五十円硬貨集積部５９は五十円シュート６６によって穴５３と連結され、百円硬貨集積部６２は百円シュート６７によって穴５５と連結され、五百円硬貨集積部６０は五百円シュート６８によって穴５６と連結されている。
【００５７】
ところで、前記シュートのうち五円シュート６４と五十円シュート６６とは互いに交差して配設されている。ところが、前記五円硬貨集積部５８及び五十円硬貨集積部５９は互いに隣同士であり、区分搬送路４６の選別用の穴も、五十円硬貨の穴５３と五円硬貨の穴５４とは隣同士である。したがって、前記五円シュート６４と五十円シュート６６とは、互いに交差していても、簡単な構造で構成することができる。
【００５８】
このように、本実施の形態においては、区分搬送路４６の選別方式を硬貨の外径の違いを利用した穴による選別を基本とし、十円硬貨だけをブレードによる選別としている。そして、硬貨集積部を区分搬送路４６の搬送方向に向かって左右に配設している。これにより、釣銭としての使用量が多い十円硬貨、百円硬貨の集積容量を大きくすることができるとともに、簡単なシュート構造で区分搬送路４６の選別部と連結することができ、安価で、かつ、信頼性が高い金種別の硬貨集積部を提供することができる。
【００５９】
なお、本実施の形態においては、区分搬送路４６で硬貨を選別する手段として、ブレードと硬貨の外径の違いを利用した穴とを使用しているが、例えば、すべての金種の硬貨の選別手段としてブレードを使用することもできる。ただし、比較的高価なブレードを多用するので、区分搬送路４６のコストが高くなってしまう。
【００６０】
そして前記一円硬貨集積部５７、五円硬貨集積部５８、五十円硬貨集積部５９、五百円硬貨集積部６０、十円硬貨集積部６１及び百円硬貨集積部６２の下方には、それぞれに対応する硬貨繰出部が配設される。
【００６１】
すなわち、該硬貨繰出部として、一円硬貨集積部５７の下部には一円硬貨出金繰出部６９が配設され、五円硬貨集積部５８の下部には五円硬貨出金繰出部７０が配設され、五十円硬貨集積部５９の下部には五十円硬貨出金繰出部７１が配設され、五百円硬貨集積部６０の下部には五百円硬貨出金繰出部７２が配設され、十円硬貨集積部６１の下部には十円硬貨出金繰出部７３が配設され、百円硬貨集積部６２の下部には百円硬貨出金繰出部７４が配設される。なお、十円硬貨出金繰出部７３及び百円硬貨出金繰出部７４は図３には示されていないが、後述される図４に示されている。
【００６２】
そして、一円硬貨集積部５７、五円硬貨集積部５８、五十円硬貨集積部５９、五百円硬貨集積部６０、十円硬貨集積部６１及び百円硬貨集積部６２に集積されている硬貨を出金する場合、それぞれに対応する一円硬貨出金繰出部６９、五円硬貨出金繰出部７０、五十円硬貨出金繰出部７１、五百円硬貨出金繰出部７２、十円硬貨出金繰出部７３及び百円硬貨出金繰出部７４によって対応する金種の硬貨が１枚ずつ繰り出され、必要な枚数が払い出される。
【００６３】
また、前記各金種の硬貨繰出部の下側には出金ガイド板７５が配置される。それぞれの金種の硬貨繰出部から出金のために繰り出された硬貨は、出金ガイド板７５上に放出される。該出金ガイド板７５は、回転軸７６を中心に位置７５ａから位置７５ｂまで回転し、前記それぞれの硬貨繰出部から繰り出された硬貨を必要な方向に案内する。
【００６４】
そして、出金ガイド板７５の下側には、出金カセット７７及び収納箱７８が配設される。ここで、前記出金ガイド板７５が位置７５ａにある場合は、それぞれの硬貨繰出部から出金された硬貨は出金カセット７７の方向に案内され、該出金カセット７７に収納される。一方、前記出金ガイド板７５が位置７５ｂにある場合は、それぞれの硬貨繰出部から出金された硬貨は収納箱７８に収納される。
【００６５】
なお、前記出金カセット７７には、それぞれの硬貨繰出部に対応して金種別収納部が配設される。すなわち、出金カセット７７の図３における手前から金種の順番に、金種別収納部として、一円硬貨収納部７９、五円硬貨収納部８０、十円硬貨収納部８１、五十円硬貨収納部８２、百円硬貨収納部８３及び五百円硬貨収納部８４が配設される。
【００６６】
そして、前記金種別の硬貨集積部の配置は、区分搬送路４６の搬送方向に向かって右側に、一円硬貨集積部５７、五円硬貨集積部５８、五十円硬貨集積部５９、五百円硬貨集積部６０が配設され、区分搬送路４６の搬送方向に向かって左側に、十円硬貨集積部６１、百円硬貨集積部６２が配設される。そして、二列に並んだ前記金種別の硬貨集積部の間、すなわち、各金種別の硬貨集積部の下部に取り付けられた硬貨繰出部の間に、出金ガイド板７５が配設されている。
【００６７】
ここで、参考のために十円硬貨出金繰出部７３及び百円硬貨出金繰出部７４の位置について説明する。
【００６８】
図４は本発明の実施の形態における釣銭管理装置の硬貨部の構成を示す第２の斜視図、図５は本発明の実施の形態における釣銭管理装置の出金カセットの構成を示す第１の斜視図、図６は本発明の実施の形態における釣銭管理装置の出金カセットの構成を示す第２の斜視図、図７は本発明の実施の形態における釣銭管理装置の収納箱の構成を示す斜視図である。
【００６９】
図４において、十円硬貨出金繰出部７３及び百円硬貨出金繰出部７４の配置を示すために、一円硬貨集積部５７、五円硬貨集積部５８及び五十円硬貨集積部５９、並びに、一円硬貨出金繰出部６９、五円硬貨出金繰出部７０及び五十円硬貨出金繰出部７１を省略し、十円硬貨集積部６１、百円硬貨集積部６２、五百円硬貨集積部６０、及び、十円硬貨出金繰出部７３、百円硬貨出金繰出部７４、五百円硬貨出金繰出部７２を目視することができるようにしてある。
【００７０】
例えば、十円硬貨集積部６１に集積された十円硬貨は、十円硬貨出金繰出部７３によって１枚ずつ繰り出され、矢印Ａで示される方向に払い出される。そして、矢印Ａで示される方向に払い出された十円硬貨は出金ガイド板７５上に落下し、落下した十円硬貨は出金ガイド板７５によって矢印Ｆで示される方向に案内され、出金カセット７７の十円硬貨収納部８１に収納される。
【００７１】
同様に、百円硬貨集積部６２に集積された百円硬貨は、百円硬貨出金繰出部７４によって矢印Ｂで示される方向に１枚ずつ繰り出され、出金ガイド板７５によって矢印Ｈで示される方向に案内され、出金カセット７７の百円硬貨収納部８３に収納される。また、区分搬送路４６の搬送方向に向かって右側に配設された一円硬貨集積部５７、五円硬貨集積部５８、五十円硬貨集積部５９及び五百円硬貨集積部６０に集積された一円硬貨、五円硬貨、五十円硬貨及び五百円硬貨も同様である。
【００７２】
すなわち、図４に示されるように、五百円硬貨集積部６０に集積された五百円硬貨は、五百円硬貨出金繰出部７２によって矢印Ｃで示される方向に１枚ずつ繰り出され、出金ガイド板７５によって矢印Ｉで示される方向に案内され、出金カセット７７の五百円硬貨収納部８４に収納される。また、図４においては省略されている一円硬貨集積部５７、五円硬貨集積部５８及び五十円硬貨集積部５９に集積された一円硬貨、五円硬貨及び五十円硬貨も同様に、出金ガイド板７５によって、それぞれ、矢印Ｄ、Ｅ、Ｇで示される方向に案内され、出金カセット７７の一円硬貨収納部７９、五円硬貨収納部８０、五十円硬貨収納部８２に、それぞれ、収納される。
【００７３】
なお、出金ガイド板７５は硬貨の流れを分かりやすくするために、１枚の板のように図示されているが、各金種別の硬貨を矢印Ｄ〜Ｉで示される方向に沿って案内するので、各矢印Ｄ〜Ｉで示される方向の間に仕切板が設けられ、確実に各硬貨を出金カセット７７の金種別収納部に案内するようになっている。
【００７４】
一方、例えば、釣銭管理装置１７の精算をする場合のように、各金種別の硬貨集積部に保管されている硬貨をすべて収納箱７８に収納する場合には、出金ガイド板７５が回転軸７６を中心に位置７５ａから位置７５ｂまで回転する。そして、金種別の硬貨集積部に集積されている硬貨は、各硬貨集積部の下部に配設された金種別の硬貨繰出部によって１枚ずつ繰り出され、位置７５ｂにある出金ガイド板７５によって案内され、矢印Ｄ〜Ｉで示される方向と逆の方向、すなわち、搬送方向に向かって左側に案内されて収納箱７８に収納される。
【００７５】
ところで、前記出金カセット７７は、取っ手８５によって釣銭管理装置１７の出金口２３から引き出すことができる。また、出金カセット７７には、鍵（かぎ）９９を備える蓋（ふた）８６が取り付けられていて、出金口２３から引き出した後、図６に示されるように、蓋８６を閉じることによって収納した硬貨を落下させずに持ち運ぶことができるようになっている。なお、収納箱７８も取っ手８７によって釣銭管理装置１７から引き出すことができる。
【００７６】
次に、前記リジェクトブレード４８について説明する。
【００７７】
図８は本発明の実施の形態におけるリジェクトブレードの構成を示す斜視図である。
【００７８】
この場合、硬貨は区分搬送路４６上を図８における手前から奥に向かって搬送される。図８に示されるように、リジェクトブレード４８は軸９０によって回動可能に支持され、区分搬送路４６に形成されたリジェクト穴９１を開閉する。通常は、軸９０に接続された回転ハンドル９０ａの一端に取り付けられたばね９２の付勢力によって開放される。そして、前記検銭部４５による判別の結果、搬送されている硬貨が受け入れるべき正当な硬貨であると判別された時は、マグネットを備える電磁石式アクチュエータ９３が作動して、前記回転ハンドル９０ａの他端を図８における下方向に吸引して軸９０を反対方向に回動させ、リジェクト穴９１をリジェクトブレード４８によって閉鎖する。これにより、硬貨はリジェクトブレード４８上を通過し、区分搬送路４６の下流側に進むことができる。
【００７９】
なお、図３において説明したように、リジェクトブレード４８の前後には、第２のセンサ４７及び第３のセンサ５０が配設されている。そして、前記検銭部４５の判別の結果に従ってリジェクトブレード４８が作動して、正当な硬貨とそれ以外のものとが正しく区分されたか否かを前記第２のセンサ４７及び第３のセンサ５０によって確認される。
【００８０】
次に、前記検銭部４５、第２のセンサ４７、第３のセンサ５０の出力に基づいた電磁石式アクチュエータ９３によるリジェクトブレード４８の動作について説明する。
【００８１】
図９は本発明の実施の形態におけるリジェクトブレードの動作を示すタイムチャートである。
【００８２】
まず、検銭部４５は、第１の硬貨について受け入れるべき正当な硬貨であるとの判別を示す判別信号１０１を出力する。そして、第１の硬貨が第２のセンサ４７を通過すると、該第２のセンサ４７は通過信号１０２を出力する。すると、該通過信号１０２に同期して電磁石式アクチュエータ９３のマグネットがパルス１０３で示されるように励磁させらる。これにより、リジェクトブレード４８がリジェクト穴９１を閉鎖し、第１の硬貨は区分搬送路４６の下流側に進む。そして、第１の硬貨は第２のセンサ４７を通過した後、所定時間内に第３のセンサ５０を通過する。これにより、該第３のセンサ５０が通過信号１０４を出力するので、リジェクトブレード４８は、正当な硬貨である第１の硬貨を正しく区分することができたことが分かる。
【００８３】
一方、前記検銭部４５が、第２の硬貨について受け入れるべき正当な硬貨でないとの判別を示す判別信号１０５を出力する。そして、第２の硬貨が第２のセンサ４７を通過すると、該第２のセンサ４７は通過信号１０６を出力する。しかし、第２の硬貨について受け入れるべき正当な硬貨でないとの判別されたので、電磁石式アクチュエータ９３のマグネットは励磁させられない。そのため、第２の硬貨はリジェクト穴９１から落下して、区分搬送路４６の下流側に進むことがない。したがって、第２の硬貨は、第２のセンサ４７を通過した後、所定時間が経過しても第３のセンサ５０を通過しないので、第３のセンサ５０は何らの信号も出力しない。
【００８４】
このようにして、正当な硬貨とそれ以外のものとが正しく区分されたか否かを確認することができる。
【００８５】
ところで、硬貨を搬送する搬送部は、入金搬送路４３と区分搬送路４６とで独立して構成される。また、前記入金搬送路４３及び区分搬送路４６においては、それぞれ、独立した駆動装置によって駆動される搬送ベルトによって硬貨が搬送されるようになっている。この場合、前記搬送ベルトは硬貨を搬送路方向に押し付けながら圧接して搬送する。
【００８６】
次に、前記釣銭管理装置１７を使用した店舗１１におけるレジスター機１２ａ〜１２ｄへの釣銭のセットや釣銭の回収などの動作について説明する。
【００８７】
図１０は本発明の実施の形態における釣銭管理装置の表示器及び操作キーを示す第１の図、図１１は本発明の実施の形態における釣銭管理装置の表示器及び操作キーを示す第２の図、図１２は本発明の実施の形態における釣銭管理装置の表示器及び操作キーを示す第３の図、図１３は本発明の実施の形態における釣銭管理装置の表示器及び操作キーを示す第４の図、図１４は本発明の実施の形態における釣銭管理装置の表示器及び操作キーを示す第５の図、図１５は本発明の実施の形態における釣銭管理装置の表示器及び操作キーを示す第６の図、図１６は本発明の実施の形態における釣銭管理装置の表示器及び操作キーを示す第７の図、図１７は本発明の実施の形態における釣銭管理装置の表示器及び操作キーを示す第８の図、図１８は本発明の実施の形態におけるレジスター機内の現金の動きを示す図、図１９は本発明の実施の形態における釣銭管理装置の表示器及び操作キーを示す第９の図、図２０は本発明の実施の形態における釣銭管理装置の表示器及び操作キーを示す第１０の図、図２１は本発明の実施の形態における釣銭管理装置の表示器及び操作キーを示す第１１の図、図２２は本発明の実施の形態における釣銭管理装置から発行されるレシートを示す第１の図、図２３は本発明の実施の形態における釣銭管理装置から発行されるレシートを示す第２の図、図２４は本発明の実施の形態における釣銭管理装置の表示器及び操作キーを示す第１２の図、図２５は本発明の実施の形態における釣銭管理装置から発行されるレシートを示す第３の図である。
【００８８】
ここでは、開店前の準備から営業の途中でのレジ係等の代金精算業務の担当者の交替、閉店後の締めまでを説明する。
【００８９】
まず、開店前の準備について説明する。
【００９０】
この場合、前日にレジスター機１２ａ〜１２ｄのドロア内の現金は空にしてある。そこで、開店前にレジスター機１２ａ〜１２ｄに釣銭準備金をセットする必要がある。
【００９１】
まず、開店時の担当者Ａは、釣銭管理装置１７のカード受入口２６に所持しているＩＤカードを挿入する。前記釣銭管理装置１７は、挿入されたＩＤカードを読み取り、その読取内容から担当者Ａの氏名「○○  花子」を読み出し、図１０に示されるように、表示器２４に担当のレジスター機を指定するように表示する。
【００９２】
すなわち、表示器２４には、図１０に示されるように、事前に登録されている「食品レジ」、「医薬品レジ」、「洋品レジ」、「雑貨レジ」、「家電レジ」等のレジスター機１２ａ〜１２ｄのそれぞれの名称と、さらに、登録されたレジスター機がある場合は、「他のレジ」がファンクションキー２５ａ〜２５ｆの位置に対応して表示される。なお、本実施の形態において、操作キー２５は、ファンクションキー２５ａ〜２５ｆ、テンキー２５ｇ及び開始・停止キー２５ｈから成る。そして、担当するレジスター機をファンクションキー２５ａ〜２５ｆで指定するようになっているが、レジスター機の数が多い場合は、該レジスター機の番号をテンキー２５ｇを使用して指定するようにしてもよい。
【００９３】
ここで、担当が「雑貨レジ」である場合、担当者Ａがファンクションキー２５ｄを押下すると、表示器２４には、図１１に示されるように、取扱メニュー画面が表示される。この場合、担当者Ａは雑貨レジとしてのレジスター機１２ａを担当するものとする。そして、担当者Ａは、取扱メニューを選択する。なお、メニューには、「セット出金」、「個別出金」、「係員入金」、「係員照会」、「係員精算」がある。
【００９４】
ところで、「セット出金」とは、各金種の硬貨が事前に設定された指定枚数だけ、それぞれ、払い出される操作であり、開店前等に新たにレジスター機１２ａ〜１２ｄに釣銭をセットする場合に使用する。本実施の形態においては、「セット出金」には「セット出金１」及び「セット出金２」があるものとする。例えば、通常は「セット出金１」が使用されるが、特定の日等で繁忙日が予想される場合は、「セット出金２」が選択される。該「セット出金２」は、事前に設定されている各金種の硬貨の各指定枚数が「セット出金１」より多く設定されていて、営業中の繁忙状況によって釣銭準備金の枚数を選択することができるようになっている。
【００９５】
また、「個別出金」は、各金種の硬貨の枚数をその都度指定して払い出されるようにする操作であり、営業の途中で釣銭が不足した時に補充する場合などに使用される。
【００９６】
さらに、「係員入金」とは、レジスター機１２ａ〜１２ｄのドロア内の硬貨等を計数しながら釣銭管理装置１７に入金する操作であり、例えば、営業の途中で釣銭が過剰になった場合など、レジスター機１２ａ〜１２ｄのドロア内の一部の硬貨を釣銭管理装置１７に入金する場合等に使用される。
【００９７】
そして、「係員照会」とは、これまでの払い出し及び入金の操作履歴等を表示したり、レシートに印刷したりする操作であり、当日の現時点における払い出し状況や日付を指定して特定の日や特定の期間の払い出し及び入金の経過等を照会することができる。
【００９８】
また、「係員精算」とは、レジスター機１２ａ〜１２ｄのドロア内の硬貨のすべてを回収し、計数しながら釣銭管理装置１７に入金した後、今回の営業の中で該当する担当者が、始めに釣銭準備金を出金してから以降のすべての払い出し及び入金操作を集計して精算する操作であり、例えば、一日の該当する担当者の作業が終了した場合等に使用する。
【００９９】
そして、担当者Ａが図１１に示される取扱メニューから「セット出金１」に対応するファンクションキー２５ａを押下すると、図１２に示されるように、払い出し枚数の確認が表示器２４に表示される。本実施の形態においては、「セット出金１」として設定されている払い出し枚数は一円硬貨が２０枚、五円硬貨が１０枚、十円硬貨が３０枚、五十円硬貨が１０枚、百円硬貨が４５枚、五百円硬貨が７枚である。なお、当日が繁忙日である場合、担当者Ａが「セット出金２」に対応するファンクションキー２５ｂを押下すると、「セット出金１」とは異なる枚数の設定が表示される。そして、表示器２４表示された払い出し枚数の内訳でよい場合、担当者Ａは開始・停止キー２５ｈを押下する。
【０１００】
次に、該開始・停止キー２５ｈが押下されると、釣銭管理装置１７は、払い出し枚数の内訳に従った払い出し動作を開始する。すなわち、表示器２４には、図１３に示されるように、払い出し中である旨が表示される。また、硬貨部３８では出金ガイド板７５を位置７５ａにした後、一円硬貨集積部５７、五円硬貨集積部５８、五十円硬貨集積部５９、五百円硬貨集積部６０、十円硬貨集積部６１及び百円硬貨集積部６２に集積されている硬貨を、それぞれに対応する一円硬貨出金繰出部６９、五円硬貨出金繰出部７０、五十円硬貨出金繰出部７１、五百円硬貨出金繰出部７２、十円硬貨出金繰出部７３及び百円硬貨出金繰出部７４によって計数しながら繰り出し、設定された枚数分の硬貨を払い出して、出金カセット７７のそれぞれの金種別収納部に収納する。
【０１０１】
続いて、所定枚数の出金が終了すると、図１４に示されるように、表示器２４に「出金カセットを抜いてください」と表示され、今回の払い出し処理の内容が制御部３１に接続されたデータ記憶部３２に記憶される。
【０１０２】
次に、担当者Ａは表示された指示に従って釣銭管理装置１７の出金口２３から出金カセット７７を抜き出し、レシート口２７から発行される払い出し枚数の内訳等が印刷されたレシートを取り出す。担当者Ａは、前記レシートを控えとして保管する。
【０１０３】
また、出金カセット７７は、前述されたように、釣銭管理装置１７から抜き取ることができる。図５に示されるように、出金カセット７７には蓋８６が取り付けられていて、該蓋８６には鍵９９が取り付けられている。出金された硬貨が収納されている出金カセット７７の金種別収納部は、図６に示されるように、蓋８６を閉じると閉鎖されるので、持ち運んでも硬貨は落下しない。
【０１０４】
そして、担当者Ａは硬貨が収納された出金カセット７７をレジスター機１２ａまで持ち運び、蓋８６を開いて硬貨を取り出して、レジスター機１２ａのドロア内に収納する。このとき、払い出された硬貨は、金種別収納部に金種別に仕分けされて一円硬貨収納部７９、五円硬貨収納部８０、十円硬貨収納部８１、五十円硬貨収納部８２、百円硬貨収納部８３及び五百円硬貨収納部８４に収納されているので、そのままレジスター機１２ａのドロアの釣銭収納部に金種毎に収納することができる。
【０１０５】
一般的に、レジスター機１２ａ〜１２ｄのドロア内の釣銭収納部は、ドロアの手前に１列に配設されている。そして、前記出金カセット７７の金種別収納部が１列に配設してあるので、出金カセット７７から簡単にレジスター機１２ａ〜１２ｄの釣銭収納部に硬貨を移し変えることができる。
【０１０６】
このようにして、開店前の釣銭準備が完了する。そして、開店すると、担当者Ａはこの釣銭準備金を使用して代金精算業務を遂行する。
【０１０７】
次に、営業の途中における代金精算業務の交代作業、すなわち、レジスター機１２ａ〜１２ｄにおける代金精算業務を別の担当者に交代する場合の動作について説明する。
【０１０８】
従来は、担当者が交代する場合の業務の引き継ぎは、これまで業務を遂行していた担当者Ａとそれを引き継ぐ担当者Ｂがともに立ち会い、レジスター機１２ａ内のすべての現金を計数して、残高を確認する。このとき、残高は開店前に準備した釣銭準備金と開店後から引き継ぎまでの売上高との合計である。この場合、レジスター機１２ａを操作することによって開店後からそれまでの売上の計を出力することができる。ところが、引き継ぎを行う二人の担当者が揃（そろ）って現金の計数及び確認を行う必要があるので、大きな手間がかかるとともに、その間レジスター機１２ａにおける代金精算業務が止まってしまうので、顧客に対しても迷惑をかけることになる。
【０１０９】
本実施の形態における釣銭管理装置１７を使用すると、二人の担当者が揃って現金の計数を行う必要がなく、レジスター機１２ａにおける代金精算業務を停止させることがない。
【０１１０】
新しく代金精算業務を引き継ぐ担当者Ｂは、釣銭管理装置１７から自分が使う釣銭準備金を出金する。なお、該釣銭準備金を出金する動作については、担当者Ａの場合と同様であるので説明を省略する。
【０１１１】
そして、担当者Ｂは釣銭準備金を収納した出金カセット７７を持参してレジスター機１２ａの配設されている場所に行き、担当者Ａとの引き継ぎ作業を行う。この時、担当者Ａはレジスター機１２ａを操作し、それまでの売上高が印刷されたレシートを発行させる。そして、レジスター機１２ａに収納されている売上金及び釣銭準備金の現金をすべて抜き出して空にする。
【０１１２】
続いて、担当者Ｂは自分が持参した出金カセット７７を開き、空になったレジスター機１２ａに釣銭準備金を収納し、代金精算業務を開始する。
【０１１３】
このようにして、レジスター機１２ａにおける代金精算業務の引き継ぎが完了する。したがって、レジスター機１２ａにおける代金精算業務の停止時間は担当者Ａが現金をレジスター機１２ａから引き上げる時間と、担当者Ｂが出金カセット７７から釣銭準備金をレジスター機１２ａに収納する時間だけとなる。
【０１１４】
一方、担当者Ａはレジスター機１２ａから引き上げた現金とレジスター機１２ａから発行された売上高が印刷されたレシートとを持参して釣銭管理装置１７の配設されている場所に行く。そして、前記現金のうち硬貨だけを釣銭管理装置１７に入金して精算する。
【０１１５】
次に、担当者Ａによる精算の手順について説明する。
【０１１６】
まず、担当者Ａは所持しているＩＤカードを釣銭管理装置１７に挿入し、図１０に示されるような表示器２４の表示において「雑貨レジ」を選択する。続いて、図１１に示されるような表示器２４の表示において「係員精算」を選択すると、表示器２４には図１５に示されるように、「すべての硬貨を入金してください」と表示される。
【０１１７】
そして、担当者Ａはレジスター機１２ａから引き上げた現金のうち、すべての硬貨を釣銭管理装置１７の入金口２１に投入し、開始・停止キー２５ｈを押下する。続いて、釣銭管理装置１７は表示器２４に、図１６に示されるように、「計数しています」と表示し、硬貨の計数を開始する。前記入金口２１に投入した硬貨が空になり、すべての硬貨の計数が終了すると、図１７に示されるように、「出金カードを抜いてください」というメッセージが表示器２４に表示される。
【０１１８】
ところで、硬貨が手元に残っている場合は、再度、入金口２１に投入し、開始・停止キー２５ｈを押下すると、追加して計数することができる。そして、すべての硬貨の計数が完了すると、担当者Ａは計数終了に対応するファンクションキー２５ｆを押下する。
【０１１９】
ここで、レジスター機１２ａ内の現金の動きについて説明する。
【０１２０】
まず、営業開始時に担当者Ａがレジスター機１２ａ内に釣銭準備金を収納する。ここでは、図１８に示されるように、釣銭準備金及び釣札準備金を収納したものとする。この場合、釣銭準備金として硬貨及び釣札準備金として千円札をレジスター機１２ａに収納した。
【０１２１】
そして、代金精算業務が開始されると、レジスター機１２ａには売上金が入金され、釣札及び釣銭が払い出される。そして、代金精算業務が終了した時、レジスター機１２ａには釣銭準備金、釣札準備金及び売上金が収納されているが、釣銭準備金と釣札準備金の金額は代金精算業務が開始された時と変わらない。ただし、その内訳は代金精算業務開始時の釣銭準備金はすべて硬貨であったが、営業終了時には紙幣と硬貨となる。また、釣札準備金（千円札）も同様に、代金精算業務終了時には千円札以外の紙幣と千円札となる。
【０１２２】
一方、売上金は代金精算業務開始時には０だったものが、売上高に従った金額で、紙幣及び硬貨によって構成される。そして、レジスター機１２ａの精算では、前記釣銭管理装置１７には、代金精算業務終了時の釣銭残金（硬貨）と売上金（硬貨）が混合されて入金される。
【０１２３】
そして、計数終了において、図１７に示されるようなメッセージが表示器２４に表示された場合、対応するファンクションキー２５ｆが押下されると、前記釣銭管理装置１７は、今回入金計数された精算金額と、代金精算業務開始時に釣銭準備金として出金した払い出し金額とから、硬貨で戻ってきた釣銭残金（硬貨）と売上金（硬貨）とに分解し、さらに、手元に残っているレジスター機１２ａから引き上げた紙幣のうち、釣銭残金（紙幣）の金額を算出する。そして、これらの算出結果は、レシートに印刷されて発行される。
【０１２４】
ここで、前記精算金額は、次の式（１）で表される。
精算金額＝売上金（硬貨）＋釣銭残金（硬貨）・・・式（１）
一方、釣銭準備金（硬貨）は、次の式（２）で表される。
釣銭準備金（硬貨）＝釣銭残金（紙幣）＋釣銭残金（硬貨）・・・式（２）
また、釣銭残金（紙幣）は、次の式（３）で表される。
2004192477.tif 000003
なお、釣銭残金（紙幣）は１０００円の整数倍である。
【０１２５】
ここで、売上金（硬貨）が０〜９９９円と考えると、釣銭残金（紙幣）は、次の式（４）で表される。
釣銭残金（紙幣）＝ＩＮＴ［｛釣銭準備金（硬貨）−（精算金額−９９９）｝／１０００］×１０００・・・式（４）
ただし、ＩＮＴ（×）は×の整数部だけを与える関数である。
【０１２６】
また、売上金（硬貨）は、次の式（５）で表される。
2004192477.tif 000004
そして、釣銭残金（硬貨）次の式（６）で表される。
釣銭残金（硬貨）＝釣銭準備金（硬貨）−釣銭残金（紙幣）・・・式（６）
例えば、本実施の形態においては、釣銭準備金が８８７０円であったとする。そして、精算金額を２９８１円とすると、釣銭残金（紙幣）は、式（４）に代入して、
2004192477.tif 000005
となり、売上金（硬貨）は、式（５）に代入して、
2004192477.tif 000006
となり、釣銭残金（硬貨）は、式（６）に代入して、
2004192477.tif 000007
となる。
【０１２７】
この算出結果は、表示器２４に、図１９に示されるように、表示される。ここでは、精算金額を精算硬貨と表示している。さらに、釣札準備金及び売上高は、テンキー２５ｇを使用して入力することができる。
【０１２８】
まず、釣札準備金の欄にカーソルが表示され、担当者Ａがテンキー２５ｇによって金額を入力して開始・停止キー２５ｈを押下すると、釣札準備金の金額として入力され、次に、カーソルが売上高の欄に移る。そして、担当者Ａが金額を入力して開始・停止キー２５ｈを押下すると、売上高の金額として入力される。
【０１２９】
続いて、釣札準備金及び売上高が入力されると、表示器２４に、図２０に示されるような画面が表示され、精算終了に対応するファンクションキー２５ｆの押下が指示される。本実施の形態においては、釣札準備金として１００００円、売上高として７８１１１円である。
【０１３０】
なお、入力の訂正が必要な場合は、担当者Ａは、釣札準備金又は売上高に対応するファンクションキー２５ａ、２５ｂを押下することによって、訂正入力することができる。
【０１３１】
最後に、これらの結果がレシートに印刷されてレシート口２７から発行され、図２１に示されるな指示が表示器２４に表示されて終了する。
【０１３２】
ここで、前記レシートには、図２２に示されるように、精算結果、計数した硬貨の内訳、入力結果及び計数結果から算出した手元の紙幣の内訳が印字される。
【０１３３】
そして、担当者Ａは、前記レシート及び手元の紙幣（この場合は、９４０００円）を店長等の店舗１１の責任者に渡し、作業を完了する。なお、誤差は釣銭準備金から減算される。
【０１３４】
このようにして、担当者Ａの精算はレジスター機１２ａを離れて行うことができるので、レジスター機１２ａにおける代金精算業務を妨げることがない。また、数が多い釣銭は釣銭管理装置１７で計数することができ、数が少ない紙幣は硬貨の計数中の待ち時間に担当者Ａが自分で計数することができるので、効率的な精算を行うことができる。
【０１３５】
さらに、担当者Ｂが代金精算業務を終了する時も同様の処理を行う。この場合、レシートには、図２３に示されるように、精算結果が印刷される。
【０１３６】
また、代金精算業務の途中で個別出金や係員出金が行われた場合は、それらの結果も精算結果に算入される。
【０１３７】
このようにして、店舗１１における一日の営業が終了すると、店舗１１の責任者が店舗１１における当日の売上を締める。この場合、店舗１１全体の一日の売上高はレジスター機１２ａ〜１２ｄ又はストアコンピュータ１３を操作することによって集計することができる。
【０１３８】
まず、釣銭管理装置１７を締める時は、責任者が所持するカードをカード受入口２６に挿入する。すると、表示器２４に、図２４に示されるような画面が表示される。図２４に示されるように、カード情報から操作している者が店舗１１の責任者であると認識さ、操作メニューも担当者の場合と相違する。
【０１３９】
そして、「出金」、「入金」、「精算」は、レジスター機１２ａ〜１２ｄを操作する作業であり、担当者の代行で作業を行う場合等に使用する。また、「補充・回収」は、釣銭管理装置１７に保管されている釣銭準備金の補充や回収を行う操作である。さらに、「照会設定」は、釣銭管理装置１７の操作履歴が日別や担当者別に照会したり、各種の設定、例えば、「セット出金１」、「セット出金２」の設定枚数を設定したり、担当者の登録など行ったりする操作である。そして、「締め」は、一日の処理の締めを行う操作である。
【０１４０】
ここで、代金精算業務を遂行する担当者が前記担当者Ａ及び担当者Ｂの二人だけであるとする。そして、前記担当者Ａ及び担当者Ｂの精算の結果が図２２及び２３に示されるような結果であった場合、責任者が「締め」に対応するファンクションキー２５ｆを押下することによって、釣銭管理装置１７は図２５に示されるようなレシートを発行する。
【０１４１】
図２５に示されるように、精算結果は、レジスター機１２ａ〜１２ｄ毎の精算の集計である。また、硬貨の内訳は、合計がレジスター機１２ａ〜１２ｄ毎の硬貨内訳の合計であるが、その内訳は単にそれぞれの合計とは異なる。本実施の形態においては、売上金（硬貨）が担当者Ａ（１１１円）と担当者Ｂ（９５２円）との合計で１０６３円であり、１０００円を超える場合、１０００円単位で釣銭残金（硬貨）に移す。
【０１４２】
同様に、紙幣内訳も、その内訳で釣銭残金（紙幣）の合計から売上金の合計に１０００円を移す。この処理で売上金をまとめる時、紙幣で集めることができる。
【０１４３】
このように、本実施の形態においては、釣銭管理装置１７は出金カセット７７を内蔵し、取り外すことができるようにし、払い出された硬貨を金種別に仕分けして収納することができるように仕切りを設けて金種別収納部を形成し、該金種別収納部を一直線に並べ、更に金種別収納部に金種の金額順で並んで収納するようになっている。
【０１４４】
一般的に、店舗１１で使用されるレジスター機１２ａ〜１２ｄにおいては、釣銭用の硬貨はレジスター機１２ａ〜１２ｄの釣銭収納用のドロアの手前に一列に並んで配置され、釣銭の払い出しを容易に行うことができるように配慮されている。
【０１４５】
そこで、釣銭準備金として、代金精算業務に必要な最適な枚数で出金された硬貨を、使い慣れた順番でレジスター機１２ａ〜１２ｄの釣銭準備金収納部にセットすることができる。
【０１４６】
また、釣銭管理装置１７から取り出した出金カセット７７には蓋８６が取り付けられていて、釣銭管理装置１７から、レジスター機１２ａ〜１２ｄの配設された場所まで運んでも金種が混じることなく、更に安全に運ぶことができる。
【０１４７】
さらに、釣銭管理装置１７に入金された硬貨は、計数されて金種別の硬貨集積部に集積される。そして、金種別の硬貨繰出部によって１枚ずつ計数され払い出された時は、金種の金額順に並んで出金カセット７７に収納されるようになっている。
【０１４８】
これにより、レジスター機１２ａ〜１２ｄにセットする釣銭準備金として必要な金種別に仕分けして金額順に並べ、必要な枚数だけ払い出すことができる。
【０１４９】
さらに、入金して計数した硬貨を払い出すので、事前に釣銭準備金として保管してある硬貨を確実に管理することができる。そして、店舗１１の営業が終わって余剰となった釣銭準備金を釣銭管理装置１７で計数した後、その硬貨を再び釣銭準備金として利用することができるので、準備した硬貨を効率良く使用することができる。
【０１５０】
なお、本発明は前記実施の形態に限定されるものではなく、本発明の趣旨に基づいて種々変形させることが可能であり、それらを本発明の範囲から排除するものではない。
【０１５１】
【発明の効果】
以上詳細に説明したように、本発明によれば、レジスター機において釣銭準備金として必要とされる枚数の硬貨を金種別に仕分けして払い出すことができ、必要な前記釣銭準備金を手間をかけることなく前記レジスター機にセットすることができる。
【図面の簡単な説明】
【図１】本発明の実施の形態における店舗に配設された硬貨管理装置を示す図である。
【図２】本発明の実施の形態における釣銭管理装置のブロック図である。
【図３】本発明の実施の形態における釣銭管理装置の硬貨部の構成を示す第１の斜視図である。
【図４】本発明の実施の形態における釣銭管理装置の硬貨部の構成を示す第２の斜視図である。
【図５】本発明の実施の形態における釣銭管理装置の出金カセットの構成を示す第１の斜視図である。
【図６】本発明の実施の形態における釣銭管理装置の出金カセットの構成を示す第２の斜視図である。
【図７】本発明の実施の形態における釣銭管理装置の収納箱の構成を示す斜視図である。
【図８】本発明の実施の形態におけるリジェクトブレードの構成を示す斜視図である。
【図９】本発明の実施の形態におけるリジェクトブレードの動作を示すタイムチャートである。
【図１０】本発明の実施の形態における釣銭管理装置の表示器及び操作キーを示す第１の図である。
【図１１】本発明の実施の形態における釣銭管理装置の表示器及び操作キーを示す第２の図である。
【図１２】本発明の実施の形態における釣銭管理装置の表示器及び操作キーを示す第３の図である。
【図１３】本発明の実施の形態における釣銭管理装置の表示器及び操作キーを示す第４の図である。
【図１４】本発明の実施の形態における釣銭管理装置の表示器及び操作キーを示す第５の図である。
【図１５】本発明の実施の形態における釣銭管理装置の表示器及び操作キーを示す第６の図である。
【図１６】本発明の実施の形態における釣銭管理装置の表示器及び操作キーを示す第７の図である。
【図１７】本発明の実施の形態における釣銭管理装置の表示器及び操作キーを示す第８の図である。
【図１８】本発明の実施の形態におけるレジスター機内の現金の動きを示す図である。
【図１９】本発明の実施の形態における釣銭管理装置の表示器及び操作キーを示す第９の図である。
【図２０】本発明の実施の形態における釣銭管理装置の表示器及び操作キーを示す第１０の図である。
【図２１】本発明の実施の形態における釣銭管理装置の表示器及び操作キーを示す第１１の図である。
【図２２】本発明の実施の形態における釣銭管理装置から発行されるレシートを示す第１の図である。
【図２３】本発明の実施の形態における釣銭管理装置から発行されるレシートを示す第２の図である。
【図２４】本発明の実施の形態における釣銭管理装置の表示器及び操作キーを示す第１２の図である。
【図２５】本発明の実施の形態における釣銭管理装置から発行されるレシートを示す第３の図である。
【符号の説明】
１２ａ、１２ｂ、１２ｃ、１２ｄ    レジスター機
１７    釣銭管理装置
４６    区分搬送路
５７    一円硬貨集積部
５８    五円硬貨集積部
５９    五十円硬貨集積部
６０    五百円硬貨集積部
６１    十円硬貨集積部
６２    百円硬貨集積部
６９    一円硬貨出金繰出部
７０    五円硬貨出金繰出部
７１    五十円硬貨出金繰出部
７２    五百円硬貨出金繰出部
７３    十円硬貨出金繰出部
７４    百円硬貨出金繰出部
７７    出金カセット
７８    収納箱
７９    一円硬貨収納部
８０    五円硬貨収納部
８１    十円硬貨収納部
８２    五十円硬貨収納部
８３    百円硬貨収納部
８４    五百円硬貨収納部
【図１】
2004192477.tif 000008
【図２】
2004192477.tif 000009
【図３】
2004192477.tif 000010
【図４】
2004192477.tif 000011
【図５】
2004192477.tif 000012
【図６】
2004192477.tif 000013
【図７】
2004192477.tif 000014
【図８】
2004192477.tif 000015
【図９】
2004192477.tif 000016
【図１０】
2004192477.tif 000017
【図１１】
2004192477.tif 000018
【図１２】
2004192477.tif 000019
【図１３】
2004192477.tif 000020
【図１４】
2004192477.tif 000021
【図１５】
2004192477.tif 000022
【図１６】
2004192477.tif 000023
【図１７】
2004192477.tif 000024
【図１８】
2004192477.tif 000025
【図１９】
2004192477.tif 000026
【図２０】
2004192477.tif 000027
【図２１】
2004192477.tif 000028
【図２２】
2004192477.tif 000029
【図２３】
2004192477.tif 000030
【図２４】
2004192477.tif 000031
【図２５】
2004192477.tif 000032